【手続補正書】
【提出日】令和3年6月25日(2021.6.25)
【手続補正１】
【補正対象書類名】特許請求の範囲
【補正対象項目名】全文
【補正方法】変更
【補正の内容】
【特許請求の範囲】
【請求項１】
冗長バッテリ管理システムであって、
双方向通信ループに接続され、第１の複数のバッテリセルを管理する第１のクライアントであって、データを受信するように構成され、前記通信ループに接続された第１のインタフェースを備え、前記通信ループ内の第１のチャネル及び第２のチャネルでデータを送信するように構成された前記第１のクライアントと、
前記通信ループに接続され、第２の複数のバッテリセルを管理する第２のクライアントであって、データを受信するように構成され、前記通信ループに接続された第２のインタフェースを備え、前記通信ループ内の第１のチャネル及び第２のチャネルでデータを送信するように構成された前記第２のクライアントと、
前記通信ループに接続され、少なくとも前記第１及び第２のクライアントを含む前記通信ループに接続された複数のクライアントを管理するホストと、
を備え、
前記ホストが、
前記通信ループを介して要求を提供し、そして、
前記通信ループを介して１以上の応答を受信し、前記１以上の応答の各応答が、前記応答に関連する応答ウィンドウに基づいて、前記複数のクライアントの各クライアントに関連付けられる、
ように構成されることを特徴とするシステム。
【請求項２】
前記第１のクライアントが、前記第１のインタフェースから受信したデータを前記データの少なくとも第１の部分及び前記データの少なくとも第２の部分に分離するように構成され、前記データの前記少なくとも第２の部分は、前記データの前記少なくとも第１の部分の冗長コピーであることを特徴とする請求項１に記載のシステム。
【請求項３】
前記第１のクライアントが、前記第１のインタフェースから受信したデータを前記データの少なくとも第１の部分及び前記データの少なくとも第２の部分に分離するように構成され、前記データの前記少なくとも第１の部分は、前記複数のクライアント内の少なくとも１つのクライアントに特定的にアドレス指定され、前記データの前記少なくとも第２の部分は、前記複数のクライアントにブロードキャストされることを特徴とする請求項１に記載のシステム。
【請求項４】
前記第１のクライアントが、前記第１のインタフェースから受信したデータを前記データの少なくとも第１の部分及び前記データの少なくとも第２の部分に分離するように構成された第１のスプリッタを備え、前記第１のスプリッタは、前記通信ループから受信したデータから前記データの前記少なくとも第１の部分を分離して送信する第１のフィルタを備え、前記データの前記少なくとも第１の部分は、前記第１のチャネルで通信されることを特徴とする請求項１に記載のシステム。
【請求項５】
前記第１のスプリッタは、前記通信ループから受信したデータから前記データの前記少なくとも第２の部分を分離して送信する第２のフィルタを更に備え、前記データの前記少なくとも第２の部分は、前記第２のチャネルで通信されることを特徴とする請求項４に記載のシステム。
【請求項６】
前記第１のクライアントと前記通信ループとの間に接続された分離要素を更に備え、前記分離要素は、前記第１のクライアントを前記通信ループから分離することを特徴とする請求項１に記載のシステム。
【請求項７】
前記分離要素は、変圧器を含むことを特徴とする請求項６に記載のシステム。
【請求項８】
前記ホストは、平衡シリアル信号プロトコルを採用する周波数分割多重化信号アーキテクチャを使用して前記複数のクライアントと通信することを特徴とする請求項１に記載のシステム。
【請求項９】
前記ホストは、ＦＳＫ変調を採用する周波数分割多重化信号アーキテクチャを使用して前記複数のクライアントと通信することを特徴とする請求項１に記載のシステム。
【請求項１０】
前記第１のクライアントのデバイスは、前記通信ループから受信した前記ホストからの要求に応答して、前記第１の複数のバッテリセルに関連する少なくとも１つの物理的又は電気的測定値を測定及び送信することを特徴とする請求項１に記載のシステム。
【請求項１１】
前記第１のクライアントのデバイスは、前記通信ループから受信した前記ホストからの要求に応答して、前記第１の複数のバッテリセルに対して少なくとも１つの機能を実行することを特徴とする請求項１に記載のシステム。
【請求項１２】
バッテリ管理システム内の障害位置を特定する方法であって、
ホストから複数のクライアント内の第１のクライアントに第１の要求を送信することであって、前記要求は、デイジーチェーンアーキテクチャにおいて複数のクライアントを接続する双方向マルチチャネル通信経路上の第１のチャネル及び第１の方向に送信されること、
前記第１のクライアントにおいて、前記第１のチャネルを含む周波数分割多重化信号を受信すること、
前記第１のクライアントにおいて、前記周波数分割多重化信号からの前記第１のチャネルをフィルタリングすること、
前記第１のクライアントにおいて、前記第１のチャネル内の第１の要求を処理すること、
前記双方向マルチチャネル通信経路上で、前記第１のクライアントから前記ホストに前記第１の要求に関連する応答を送信することであって、前記応答は、前記マルチチャネル通信経路内の第２のチャネルで送信されること、
を含み、
前記ホストが、前記応答に関連する応答ウィンドウに基づいて、前記応答に前記複数のクライアントから前記第１のクライアントを関連付け、前記応答ウィンドウが前記応答に関連する時間又は位置を含むことを特徴とする方法。
【請求項１３】
前記第１及び第２のチャネルは、同じチャネルであることを特徴とする請求項１２に記載の方法。
【請求項１４】
前記ホストにおいて前記第１のクライアントから前記応答を受信しなかったことに応答して、前記双方向マルチチャネル通信経路内の第３のチャネルにおいて前記第１の要求を再送信するステップを更に含むことを特徴とする請求項１２に記載の方法。
【請求項１５】
前記ホストにおいて前記第１のクライアントから前記応答を受信しなかったことに応答して、前記双方向マルチチャネル通信経路において第２の方向に前記第１の要求を再送信するステップを更に含むことを特徴とする請求項１２に記載の方法。
【請求項１６】
前記双方向マルチチャネル通信経路の前記第１の方向に送信された前記第１の要求と、前記双方向マルチチャネル通信経路の前記第２の方向に送信された前記第１の要求の分析に基づいて、前記通信経路内の障害位置を識別するステップを更に含むことを特徴とする請求項１５に記載の方法。
【請求項１７】
前記第１のクライアントにおける前記第１の要求の処理は、前記第１のクライアントによって管理される複数のバッテリセル内の少なくとも１つのバッテリセルの物理的又は電気的測定の実行を含むことを特徴とする請求項１２に記載の方法。
【請求項１８】
前記第１のクライアントにおける前記第１の要求の処理は、前記第１のクライアントによって管理される複数のバッテリセル内の少なくとも１つのバッテリセルに対する機能の実行を含むことを特徴とする請求項１２に記載の方法。
【請求項１９】
バッテリ管理システム内でデイジーチェーン接続された複数のクライアントを管理する方法であって、
双方向マルチチャネル通信ループ内の複数のチャネル内の少なくとも１つのチャネルで、デイジーチェーン接続された前記複数のクライアントに第１の複数の要求を送信することであって、前記第１の複数の要求内の各要求は、前記複数のクライアント内の少なくとも１つのクライアントに特定的にアドレス指定されること、
前記双方向マルチチャネル通信ループ内の複数のチャネル内のブロードキャストチャネルで、デイジーチェーン接続された前記複数のクライアントに第２の複数の要求を送信することであって、前記第２の複数の要求は、前記複数のクライアントにブロードキャストされ、前記ブロードキャストチャネルは、前記少なくとも１つのチャネルとは異なること、
ホストにおいて、前記第１の複数の要求に対応する第１の複数の応答と、前記第２の複数の要求に対応する第２の複数の応答とを待機すること、
を含み、
前記第１の複数の応答及び前記第２の複数の応答の受信された複数の応答が、前記第１の複数の要求及び前記第２の複数の要求の受信された複数の要求に関連する各応答ウィンドウに基づいて、デイジーチェーン接続された各クライアントに関連付けられ、応答ウィンドウが応答に関連する時間又は位置を含むことを特徴とする方法。
【請求項２０】
前記ブロードキャストチャネルにおける前記第２の複数の要求は、前記少なくとも１つのクライアントに特定的にアドレス指定された前記第１の複数の要求に関連する前記第１の複数の応答内の１つ以上の応答を受信しなかったことに応答して生成されることを特徴とする請求項１９に記載の方法。
【請求項２１】
前記通信ループ内の障害位置は、前記ブロードキャストされた第２の複数の要求に対応する前記第２の複数の応答の分析に基づいて特定されることを特徴とする請求項２０に記載の方法。